【手続補正書】
【提出日】令和2年1月28日(2020.1.28)
【手続補正１】
【補正対象書類名】明細書
【補正対象項目名】００２６
【補正方法】変更
【補正の内容】
【００２６】
システム１００は、複数のエネルギハーベスタ１６０を含むことができる。エネルギハーベスタ１６０は、エネルギを或る形態で受け取り、受け取ったエネルギを別の形態のエネルギに変換する能力を有する任意の構成要素又は構成要素群であり得る。１つ以上の構成において、エネルギハーベスタ１６０は、受け取ったエネルギを電気エネルギへと変換するように構成された任意の構成要素又は構成要素群であり得る。エネルギハーベスタ１６０は、単にいくつかの可能性を挙げるだけでも、光エネルギハーベスティングデバイス１６１、熱エネルギハーベスティングデバイス１６２、電磁エネルギハーベスティングデバイス１６３、圧電エネルギハーベスティングデバイス１６４、水力エネルギハーベスティングデバイス１６５、風力エネルギハーベスティングデバイス１６６、地熱エネルギハーベスティングデバイス１６７、及び／又は摩擦電気ハーベスティングデバイス１６８を含むことができる。
【手続補正２】
【補正対象書類名】明細書
【補正対象項目名】００４６
【補正方法】変更
【補正の内容】
【００４６】
ブロック４３０では、１つ以上の設備システムの１つ以上の制御に対する調整が必要との決定に応答して、１つ以上の設備システムの１つ以上の制御が修正されうる。１つ以上の制御を、任意の好適な方法で実装することができる。１つ以上の構成において、プロセッサ（単数あるいは複数）１１０及び／又は適応設備モジュール（単数あるいは複数）１８０は、システム１００に、運転操作を実装させることができる。プロセッサ（単数あるいは複数）１１０及び／又は適応設備モジュール（単数あるいは複数）１８０を、１つ以上の制御を実装するために、設備システム１４０のうちの１つ以上に作動可能に接続することができる。１つ以上の構成において、プロセッサ（単数あるいは複数）１１０及び／又は適応設備モジュール（単数あるいは複数）１８０を、１つ以上のアクチュエータ１９０を制御するように作動可能にすることができ、これによって、１つ以上の設備システム１４０に１つ以上の制御を実装させることができる。１つ以上の設備システムの１つ以上の制御を修正させることは、自動的に行なうことができる、ということを指摘しておかなければならない。１つ以上の構成において、設備オペレータを、１つ以上の制御を修正する許可を与えるよう促すことができる。制御の修正を実装することへの設備オペレータの承認に対応する入力の受信に応答して、１つ以上の制御を修正することができる。
【手続補正３】
【補正対象書類名】明細書
【補正対象項目名】００４７
【補正方法】変更
【補正の内容】
【００４７】
１つ以上の制御が修正されたときに、方法４００を終了することができる。代替的には、方法４００はブロック４１０又は或る他のブロックに戻ることもできる。さらなる代替案として、方法４００は追加の及び／又は代替的なブロック（図示せず）を含むことができる。
【手続補正４】
【補正対象書類名】特許請求の範囲
【補正対象項目名】全文
【補正方法】変更
【補正の内容】
【特許請求の範囲】
【請求項１】
設備であって、
主パワー源と、
前記主パワー源に作動可能に接続された１つ以上の設備システムと、
複数のセンサであって、設備データを獲得するように構成されている複数のセンサと、
或る形態で受け取ったエネルギを別の形態のエネルギに変換するように構成された複数のエネルギハーベスタであって、前記複数のセンサにエネルギを供給するように作動可能に接続された複数のエネルギハーベスタと、
を備え、
前記複数のセンサが、前記複数のエネルギハーベスタにより供給されるエネルギのみによってパワー供給され、それにより、前記複数のセンサが前記主パワー源から結合解除される、
設備。
【請求項２】
１つ以上のプロセッサを更に含み、前記１つ以上のプロセッサが前記複数のセンサに対して作動可能に接続され、前記１つ以上のプロセッサが前記複数のエネルギハーベスタに作動可能に接続され、前記１つ以上のプロセッサは、
複数のセンサが獲得した設備データに基づいて、１つ以上の設備システムの１つ以上の制御に対する調整が必要かを決定し、かつ
１つ以上の設備システムの１つ以上の制御に対する調整が必要との決定に応答して、前記１つ以上の設備システムの１つ以上の制御を修正する、
ように構成されている、請求項１に記載の設備。
【請求項３】
前記１つ以上の設備システムの前記１つ以上の制御が、ＨＶＡＣシステムの制御設定、エネルギ貯蔵デバイスの制御設定、電気システムの制御設定、及び、１つ以上の設備システムの起動特性を含む、請求項２に記載の設備。
【請求項４】
前記１つ以上のプロセッサが、前記複数のエネルギハーベスタにより供給されるエネルギによって少なくとも部分的にパワー供給される、請求項２に記載の設備。
【請求項５】
前記設備が可動設備である、請求項１に記載の設備。
【請求項６】
前記複数のエネルギハーベスタが、前記設備のすべてのセンサにエネルギを供給するように作動可能に接続され、それにより、前記設備のすべてのセンサが前記主パワー源から結合解除される、請求項１に記載の設備。
【請求項７】
前記複数のエネルギハーベスタが第１の複数のエネルギハーベスタを含み、前記複数のセンサが第１のセンサを含み、前記第１の複数のエネルギハーベスタが前記第１のセンサに作動可能に接続され、更に、
１つ以上のエネルギ利用可能性センサと、
前記複数のセンサ、前記１つ以上のエネルギ利用可能性センサ及び前記複数のエネルギハーベスタに作動可能に接続された、１つ以上のプロセッサであって、
前記１つ以上のエネルギ利用可能性センサから受信したデータを用いて現在利用可能なエネルギ源を決定し、
決定された前記現在利用可能なエネルギ源に基づいて前記第１の複数のエネルギハーベスタのサブセットを選択し、かつ
前記第１の複数のエネルギハーベスタの選択されたサブセットを起動させる、
ように構成されている、１つ以上のプロセッサと、
を含む、請求項１に記載の設備。
【請求項８】
前記複数のエネルギハーベスタが第１の複数のエネルギハーベスタを含み、前記複数のセンサが第１のセンサを含み、前記第１の複数のエネルギハーベスタが前記第１のセンサに作動可能に接続され、
前記複数のエネルギハーベスタが第２の複数のエネルギハーベスタを含み、前記複数のセンサが更に第２のセンサを含み、前記第２の複数のエネルギハーベスタが前記第２のセンサに作動可能に接続され、
前記第１の複数のエネルギハーベスタは前記第２の複数のエネルギハーベスタと異なる、
請求項１に記載の設備。
【請求項９】
前記複数のエネルギハーベスタのうちの少なくともいくつかが前記設備の外部に位置設定される、請求項１に記載の設備。
【請求項１０】
前記複数のエネルギハーベスタのうちの少なくともいくつかが前記設備の内部に位置設定される、請求項１に記載の設備。
【請求項１１】
前記複数のエネルギハーベスタのうちの１つ以上が、前記１つ以上の設備システムのうちの少なくとも１つからエネルギを受け取るように作動可能に位置決めされる、請求項１０に記載の設備。
【請求項１２】
前記複数のエネルギハーベスタの１つ以上が、太陽エネルギ、摩擦電気エネルギ、圧電エネルギ、熱エネルギ、熱電エネルギ又は電磁エネルギのうちの１つを受け取るように構成されている、請求項１に記載の設備。
【請求項１３】
前記複数のエネルギハーベスタの１つ以上が、自然エネルギ源からエネルギを受け取るように構成されている、請求項１に記載の設備。
【請求項１４】
前記複数のエネルギハーベスタの少なくとも１つからエネルギを受け取るように作動可能に接続された１つ以上のエネルギ貯蔵デバイスを更に含む、請求項１に記載の設備。
【請求項１５】
システムであって、
可動設備と、
主パワー源と、
前記主パワー源に作動可能に接続された複数の設備システムと、
複数のセンサであって、設備データを獲得するように構成され、前記主パワー源から結合解除される、複数のセンサと、
前記複数のセンサに作動可能に接続された複数のエネルギハーベスタであって、或る形態で受け取ったエネルギを別の形態のエネルギに変換するように構成されている、複数のエネルギハーベスタと、
を備え、
前記複数のセンサが、前記複数のエネルギハーベスタにより供給されるエネルギのみによってパワー供給され、それにより、前記複数のセンサが前記主パワー源から結合解除され、
前記システムが更に、
前記複数のセンサに作動可能に接続され、前記複数のエネルギハーベスタに作動可能に接続された、１つ以上のプロセッサであって、
前記複数のセンサから設備データを受信し、
受信した前記設備データに基づいて、前記複数の設備システムのうちの１つ以上の設備システムの１つ以上の制御に対する調整が必要かを決定し、かつ
前記複数の設備システムのうちの１つ以上の設備システムの１つ以上の制御に対する調整が必要との決定に応答して、前記１つ以上の制御を修正する、
ように構成されている、１つ以上のプロセッサ、
を備える、システム。
【請求項１６】
前記複数のセンサが前記１つ以上のプロセッサに無線で作動可能に接続される、請求項２に記載の設備。
【請求項１７】
前記１つ以上のプロセッサが前記設備から離れて位置設定される、請求項２に記載の設備。
【請求項１８】
前記設備が固定設備である、請求項１に記載の設備。
【請求項１９】
前記複数のエネルギハーベスタのうちの１つ以上が、設備システムからエネルギを受け取るように構成されている、請求項１に記載の設備。
【請求項２０】
システムであって、
設備と、
主パワー源と、
前記主パワー源に作動可能に接続された１つ以上の設備システムと、
複数のセンサであって、設備データを獲得するように構成され、第１のセンサを含む、複数のセンサと、
或る形態で受け取ったエネルギを別の形態のエネルギに変換するように構成されている、複数のエネルギハーベスタであって、前記複数のエネルギハーベスタが、エネルギを供給するために前記複数のセンサに作動可能に接続されるとともに、第１の複数のエネルギハーベスタを含み、前記第１の複数のエネルギハーベスタが前記第１のセンサに作動可能に接続されている、複数のエネルギハーベスタと、
を備え、
前記複数のセンサが、前記複数のエネルギハーベスタにより供給されるエネルギのみによってパワー供給され、それにより、前記複数のセンサが前記主パワー源から結合解除され、
前記システムが更に、
１つ以上のエネルギ利用可能性センサと、
前記複数のセンサ、前記１つ以上のエネルギ利用可能性センサ、及び、前記複数のエネルギハーベスタに作動可能に接続された、１つ以上のプロセッサであって、
前記１つ以上のエネルギ利用可能性センサから受信したデータを用いて現在利用可能なエネルギ源を決定し、
決定された前記現在利用可能なエネルギ源に基づいて前記第１の複数のエネルギハーベスタのサブセットを選択し、
前記第１の複数のエネルギハーベスタの選択されたサブセットを起動させる、
ように構成されている、１つ以上のプロセッサと、
を備える、システム。